【手続補正書】
【提出日】平成15年8月28日(2003.8.28)
【手続補正１】
【補正対象書類名】明細書
【補正対象項目名】特許請求の範囲
【補正方法】変更
【補正の内容】
【特許請求の範囲】
【請求項１】
クロック入力およびＮステージを備えるクロックパルス発生器であって、ここでＮは３よりも大きく、
該ステージの各第ｉステージは、
クロック入力からパスゲートの出力へクロックパルスをパスする第（ｉ−１）ステージからの制御信号により制御されるように配置されるパスゲートと、
該パスゲートの出力に応じて制御信号を第（ｉ＋１）ステージへ供給する制御信号発生回路とを備え、
該制御信号発生回路は第（ｉ＋２）ステージからの制御信号に応じてさらなる制御信号を供給することを抑制されるように配置され、ここで１＜ｉ＜（Ｎ−１）であり、
各第ｉステージの該制御信号発生回路は、第１と第２の電源入力との間で直列に接続された反対の導電性タイプである第１および第２の金属酸化シリコンフィールド効果トランジスタと、該パスゲートの該出力に接続される該第１のトランジスタのゲートと、該第（ｉ＋２）ステージの該制御信号発生回路に接続される該第２のトランジスタのゲートとを備える、クロックパルス発生器。
【請求項２】
各第ｉステージが、前記第（ｉ＋１）ステージからの制御信号によりパスゲートが選択的に制御されるようにするスイッチング配置と、第（ｉ−２）ステージからの制御信号に応じて抑制される前記制御信号発生回路とを備える、請求項１に記載の発生器。
【請求項３】
前記スイッチング配置が、前記制御信号発生回路の前記出力に接続され、方向制御信号を受信する制御入力を有する、複数のさらなるパスゲートを備える、請求項２に記載の発生器。
【請求項４】
前記パスゲート出力の少なくとも１つが、前記クロックパルス発生器の出力を構成する、請求項１に記載の発生器。
【請求項５】
前記制御信号またはその相補体の少なくとも１つが、前記クロックパルス発生器の出力信号を構成する、請求項１に記載の発生器。
【請求項６】
前記パスゲートが、前記クロック入力に接続された入力を有する、請求項１に記載の発生器。
【請求項７】
各第ｉステージが、前記パスゲートへの前記制御信号を受信するように接続された入力と、該パスゲートに接続された出力とを有するインバータを備える、請求項１に記載の発生器。
【請求項８】
各前記パスゲートは、反対の導電性タイプである第３、第４の金属酸化シリコンフィールド効果トランジスタを備えるトランスミッションゲートであって、該トランジスタのソース−ドレイン路は反平行に接続されている、請求項１に記載の発生器。
【請求項９】
各第ｉステージが、前記パスゲートへの前記制御信号を受信するように接続された入力と該パスゲートに接続された出力とを有するインバータを備え、
各前記パスゲートが、反対の導電性タイプの第３、第４の金属酸化シリコンフィールド効果トランジスタを備えるトランスミッションゲートであって、該トランジスタのソース−ドレイン路は反平行に接続されており、
該第４のトランジスタのゲートが該インバータの出力に接続され、該第３のトランジスタのゲートが該インバータの入力に接続される、請求項１に記載の発生器。
【請求項１０】
各第ｉステージの前記パスゲートが、前記第１のトランジスタと同じ導電性タイプの第５の金属酸化シリコンフィールド効果トランジスタを備える、請求項１に記載の発生器。
【請求項１１】
前記クロック入力が単相クロック入力である、請求項１に記載の発生器。
【請求項１２】
連続したステージの前記パスゲートによりパスされた前記クロックパルスが、反対の極性である、請求項１１に記載の発生器。
【請求項１３】
各前記パスゲートが、反対の導電性タイプの第３および第４の金属酸化シリコンフィールド効果トランジスタを備えるトランスミッションゲートであり、該トランジスタのソース−ドレイン路が反平行に接続されており、
連続したステージの該トランスミッションゲートの該第３トランジスタが、反対の導電性タイプである、請求項１２に記載の発生器。
【請求項１４】
各第ｉステージが、前記パスゲートへの前記制御信号を受信するように接続された入力と、前記パスゲートに接続された出力とを有するインバータを備え、
各該パスゲートが、反対の導電性タイプの第３および第４金属酸化シリコンフィールド効果トランジスタを備えるトランスミッションゲートであって、該トランジスタのソース−ドレイン路が反平行に接続されており、
該第４のトランジスタのゲートが該インバータの出力に接続され、該第３のトランジスタのゲートが該インバータの入力に接続され、
連続したステージの該トランスミッションゲートの該第３のトランジスタが、反対の電性タイプである、請求項１２に記載の発生器。
【請求項１５】
連続したステージの前記第１のトランジスタが反対の導電性タイプである、請求項１に記載の発生器。
【請求項１６】
前記クロック入力が二相クロック入力である、請求項１に記載の発生器。
【請求項１７】
前記パスゲートが、前記クロック入力に接続された入力を有し、
連続したステージの該パスゲート入力が、異なるクロック入力相に接続される、請求項１６に記載の発生器。
【請求項１８】
前記ステージの前記パスゲートによりパスされた前記クロックパルスが同じ極性である、請求項１７に記載の発生器。
【請求項１９】
各前記パスゲートは、反対の導電性タイプである第３および第４の金属酸化シリコンフィールド効果トランジスタを備えるトランスミッションゲートであり、該トランジスタのソース−ドレイン路は反平行に接続されており、
該ステージの該第３のトランジスタが同じ導電性タイプである、請求項１８に記載の発生器。
【請求項２０】
各第ｉステージが、前記パスゲートへの前記制御信号を受信するように接続された入力と、該パスゲートに接続された出力とを有するインバータを備え、
各該パスゲートが、反対の導電性タイプの第３および第４金属酸化シリコンフィールド効果トランジスタを備えるトランスミッションゲートであって、該トランジスタのソース−ドレイン路が反平行に接続されており、
該第４のトランジスタのゲートが、該インバータの出力に接続され、該第３のトランジスタのゲートが該インバータの入力に接続され、
該ステージの該第３のトランジスタが、同じ導電性タイプである、請求項１８に記載の発生器。
【請求項２１】
前記ステージの前記第１のトランジスタが、同じ導電性タイプである、請求項１に記載の発生器。
【請求項２２】
各ステージの前記パスゲート出力が、プルアップまたはプルダウントランジスタと共に提供される、請求項１に記載の発生器。
【請求項２３】
各第ｉステージが、前記パスゲートへの前記制御信号を受信するように接続された入力と、前記パスゲートに接続された出力とを有するインバータを備え、
各プルアップまたはプルダウントランジスタが、該インバータの該入力または出力に接続された制御電極を有する、請求項２２に記載の発生器。
【請求項２４】
各前記ステージが、前記パスゲートへの前記制御信号を受信する制御信号入力を有し、各制御信号入力が、プルアップまたはプルダウン配置と共に提供される、請求項１に記載の発生器。
【請求項２５】
各第ｉステージが、前記パスゲートへの前記制御信号を受信するように接続された入力と、該パスゲートに接続された出力とを有するインバータを備え、
各プルアップまたはプルダウン配置が、該インバータの該出力に接続された第１の制御電極と、先行するステージの該制御信号入力に接続された第２の制御電極または該先行するステージの該インバータの該出力とを有するトランジスタ配置を備える、請求項２４に記載の発生器。
【請求項２６】
各前記ステージが、リセット信号に応じて該ステージをリセットするリセット回路を有する、請求項１に記載の発生器。
【請求項２７】
前記各ステージが、リセット信号に応じて該ステージをリセットするリセット回路を有し、
各該ステージが前記パスゲートへの前記制御信号を受信する制御信号入力と、該信号の論理状態を制御信号入力において反対の状態にリセットするように配置される連続したステージの該リセット回路とを有する、請求項１１または１５に記載の発生器。
【請求項２８】
各前記リセット回路が、第６のトランジスタを備える、請求項２７に記載の発生器。
【請求項２９】
連続したステージの前記第６のトランジスタが、反対の導電性タイプであり、反対の極性の入力をリセットするように接続された制御電極を有する、請求項２８に記載の発生器。
【請求項３０】
前記第６のトランジスタが、同じ導電性タイプであり、共通のリセット入力に接続された制御電極を有する、請求項２８に記載の発生器。
【請求項３１】
各前記ステージが、リセット信号に応じて該ステージをリセットするリセット回路を有し、
各該ステージが、前記パスゲートへの前記制御信号を受信する制御信号入力と、該信号の論理状態を該ステージの制御信号入力において同じ状態にリセットするように配置される連続したステージの該リセット回路を有する、請求項１６または２１に記載の発生器。
【請求項３２】
各前記リセット回路が第６のトランジスタを備える、請求項３１に記載の発生器。
【請求項３３】
前記第６のトランジスタが同じ導電性タイプであり、共通のリセット入力に接続された制御入力を有する、請求項３２に記載の発生器。
【請求項３４】
ＣＭＯＳ集積回路を備える、請求項１に記載の発生器。
【請求項３５】
請求項１に記載のクロックパルス発生器を備える、空間光変調器。
【請求項３６】
液晶デバイスを備える、請求項３５に記載のモジュレータ。
【請求項３７】
請求項３５に記載のモジュレータを備える、ディスプレイ。
【請求項３８】
請求項３６に記載のモジュレータを備える、ディスプレイ。
【請求項３９】
前記各ステージが、リセット信号に応じて該ステージをリセットするリセット回路を有し、
該各ステージが前記パスゲートへの前記制御信号を受信する制御信号入力と、該信号の論理状態を該制御信号入力において反対の状態にリセットするように配置される連続したステージの前記リセット回路とを有する、請求項１５に記載の発生器。
【請求項４０】
前記各ステージが、リセット信号に応じて該ステージをリセットするリセット回路を有し、
該各ステージが前記パスゲートへの前記制御信号を受信する制御信号入力と、該信号の論理状態を、該ステージの該制御信号入力において同じ状態にリセットするように配置される該リセット回路とを有する、請求項２１に記載の発生器。
【手続補正２】
【補正対象書類名】明細書
【補正対象項目名】００２６
【補正方法】変更
【補正の内容】
【００２６】
本発明の第３の局面によると、本発明の第２の局面によるモジュレータを備えるディスプレイが提供される。
各ステージが、リセット信号に応じてステージをリセットするリセット回路を有し、各ステージがパスゲートへの制御信号を受信する制御信号入力と、信号の論理状態を制御信号入力において反対の状態にリセットするように配置される連続したステージのリセット回路とを有してもよい。
各ステージが、リセット信号に応じてステージをリセットするリセット回路を有し、各ステージがパスゲートへの制御信号を受信する制御信号入力と、信号の論理状態を、ステージの制御信号入力において同じ状態にリセットするように配置されるリセット回路とを有してもよい。